(57)【特許請求の範囲】
【請求項１】
１以上の単位画像を有する画像を表す画像データを与えるための手段と、
該与えられた画像データによる画像を骨格化し、該画像の骨格を表す骨格化データを与えるための手段と、
前記骨格化データに基づく画像の長さを単位画像毎に所定の基準長さと比較するための手段と、
前記所定の基準長さよりも長い単位画像については骨格化データに基づいて縫い目データを生成し、前記所定の基準長さよりも短い単位画像については、前記画像データに基づいて縫い目データを生成するための手段と、
を有する刺繍データ作成装置。
【請求項２】
前記所定の基準長さが変更可能である、
請求項１に記載の刺繍データ作成装置。
【発明の詳細な説明】
【０００１】
【発明の属する技術分野】
この発明は画像データに基づく刺繍データ作成装置に関する。
【０００２】
【従来の技術】
刺繍縫いが可能なミシンや刺繍縫い専用装置に刺繍縫いを行わせるためのデータは、装置のメーカ等がデータを作成し、このデータに基づいて刺繍縫いが行われるのが普通である。
しかし、近年パーソナルコンピュータ等の普及に伴い、ユーザ自らが画像を作成し、これを刺繍縫い目のデータとして使いたいとする要望が増えている。また、ユーザが作成した画像をイメージセンサ等で読みとり、これに基づいて縫い目データを作成する装置が家庭用の刺繍縫いミシンの付属品として既に市販されている。
このような画像データに基づいて刺繍データを作成する装置において、近年画像の中心線を割り出して、画像の骨格を表す所謂骨格化データを作成し、これに基づいて刺繍データを作成するものが、本願出願人により提案されている。
このような方法は線画を刺繍データ化する際に好適であり、骨格化データに基づいて直線縫いや直線縫いの２度縫い、或いはジグザグ縫いや幅の異なるジグザグ縫いの２度縫い更には直線縫いとジグザグ縫いを組み合わせた２度縫い等の刺繍縫い目データを生成することにより、線画の刺繍を簡単にまた優れた外観で実現することが可能になる。
【０００３】
【発明が解決しようとする課題】
しかし、上記した骨格化データによる刺繍データの作成装置において、画像によっては、骨格化することにより原画のイメージが損なわれるものがある。
即ち骨格化データの生成において、骨格化データとなるまで原画像の幅の縮小を行うため、他の線分と離れた画像即ち単位画像はそれ自体が縮小されることになり、どのような大きさの画像であっても、一本の線になったり、或いは単位画像が円形の場合などは点になってしまう問題がある。
例えば、図６（Ａ）に示す原画像Ｇは４種類の単位画像から形成されており、輪郭線５１、目５２、鼻５３、及びヒゲ５４の単位画像を有している。これらを骨格化すると、（Ｂ）に示すように輪郭線５１ｎと目５２ｎは細線になり、また鼻５３ｎとヒゲ５４ｎは微少の点になる。このように、鼻５３ｎとヒゲ５４ｎは点になってしまし、そのまま刺繍しても殆ど視認できないものとなる。
また、ノイズ除去の目的で微少の画像データをフィルタに掛けて消す構成の場合には鼻５３ｎやヒゲ５４ｎのような微少画像は除去されて刺繍には表れないことになり、原画のイメージが全くなくなってしまう事態が生ずる。
本発明はこのような問題を解決し、原画のイメージを損なうことのない刺繍データ作成装置を提供することを目的とする。
【０００４】
【課題を解決するための手段】
上記目的を達成するために、本発明は、１以上の単位画像を有する画像を表す画像データを与えるための手段と、該与えられた画像データによる画像を骨格化し、該画像の骨格を表す骨格化データを与えるための手段と、前記骨格化データに基づく画像の長さを単位画像毎に所定の基準長さと比較するための手段と、前記所定の基準長さよりも長い単位画像については骨格化データに基づいて縫い目データを生成し、前記所定の基準長さよりも短い単位画像については、前記画像データに基づいて縫い目データを生成するための手段と、を有することを特徴とする。
骨格化データの画像は、単位画像毎に所定の基準長さと比較され、基準長さよりも短い場合には、該単位画像については骨格化データではなく画像データに基づいて縫い目データが作成される。これにより、原画の持つイメージが損なわれることなく、縫い目データが作成される。
【０００５】
【発明の実施の形態】
以下本発明の実施の形態を図面に基づいて説明する。
図１において、中央演算処理装置１はマイクロコンピュータを主体に構成されており、ここにイメージスキャナ１０が接続され、ユーザが希望する原画を読み込んで画像データを中央演算処理装置１に入力するようになっている。読み込まれた画像は一度データ記憶装置２に格納されるようになっている。また、同時に表示装置７に表示されるようになっている。
イメージスキャナ１０に変えて、例えば画像データを記憶しているメモリカード等の記憶媒体や或いはＣＡＤ等の画像処理装置を接続して画像データなどを読み込むようにすることも可能である。
【０００６】
図３において、（Ａ）は原画の一例を示すもので、この原画像Ｇは輪郭線５１と２つの目５２及び２つの鼻５３と５つのヒゲ５４の合計１０個の単位画像から構成されている。これらの画像データは、この実施形態ではイメージスキャナ１０からドットデータとして中央演算処理装置１に供給されるようになっているが、ベクトルデータ等他のどのような形態のデータであっても良い。
【０００７】
中央演算処理装置１は画像データ骨格化プログラム記憶装置３に格納された画像データ骨格化プログラムに従って、読み込んだ画像データのデジタル化を行った上、該画像の骨格化を行うようになっている。
骨格化の手法としては、従来知られた種々の手法を採用可能であり、通常は画像の中心線を求めて骨格化を実行するようになっている。この骨格化されたデータもデータ記憶装置２に一時記憶されるようになっている。
【０００８】
図３の（Ｂ）は骨格化されたデータに基づく骨格化画像Ｂを示すもので、細線化された輪郭線５１ｂと線になった目５２ｂ及び微少な点になった鼻５３ｂとヒゲ５４ｂとから構成されており、表示装置７に表示されるようになっている。
【０００９】
次いで中央演算処理装置１は線分長さ比較プログラム記憶装置４に記憶されたプログラムに従って、骨格化されたデータに基づく線分の長さを単位画像毎に基準長さと比較する。この基準長さは基準線分長さ設定装置６によりユーザが変更することが可能になっており、原画の状態にあわせてユーザが選択できるようになっている。
【００１０】
中央演算処理装置１は基準長さ以上の単位画像については、骨格化データに基づいて縫い目データを作成するように決定する。また、基準長さ以下の単位画像については画像データに基づいて縫い目データを作成するように決定する。
いま、基準長さが目５２ｂの長さ以下で鼻５３ｂ以上にに設定されていたとすると、鼻５３ｂとヒゲ５４ｂが画像データによる縫い目データとなり、輪郭線５１ｂと目５２ｂが骨格化データによる縫い目データとなる。このような複合的なデータは画像化されて（Ｃ）に示す複合画像Ｃのように表示装置７に表示されるようになっている。
【００１１】
中央演算処理装置１は縫い目データ生成の基礎となるデータを単位画像毎に決定したら、該決定に従って、縫い目データ生成プログラム記憶装置５のプログラムに従って縫い目データを生成する。
輪郭線５１ｂ及び目５２ｂのような骨格化データに基づく縫い目は、直線縫いの２度縫い或いは幅の異なるジグザグ縫いの２度縫い或いは直線縫いとジグザグ縫いの重ね縫いなどの縫い目とするのが望ましい。また、鼻５３ｇやヒゲ５４ｇのような画像データに基づく縫い目はサテン縫い（ジグザグ縫い）や畳縫い（フィルステッチ縫い）等の縫い目により塗りつぶすようにするのが望ましい。
【００１２】
生成された縫い目データは記憶媒体１１に格納されるように構成されている。記憶媒体１１は刺繍縫いミシン等に装着され、ここで刺繍縫いを実行するようになっている。
図４に完成された刺繍縫いＮを示す。図６の（Ｂ）に示す従来のものに比較して原画像Ｇのイメージが保存されていることが明らかである。
なお、このような刺繍縫いＮの画像も表示装置７に表示して、完成品のイメージをユーザが得られるようにするのが望ましい。
【００１３】
図５は基準線分長さ設定装置６による基準長さの設定により目５２部分も画像データに基づく目５２ｇとした刺繍縫いＮの例である。この場合には、原画像Ｇがそのままほぼ忠実に再現されている。
【００１４】
図２により動作を説明する。
イメージスキャナ１０により原画を読取り（ステップＳ１）、イメージスキャナ１０からの画像データを入力してデータ記憶装置２に格納する（ステップＳ２）。そして、該画像データを骨格化処理して（ステップＳ３）、その線分長さを単位画像毎に基準長さと比較する（ステップＳ４）。基準の所定長さより長い単位画像については該骨格化データにより縫い目データが生成される（ステップＳ６）。線分が所定の長さより短い場合には、元の画像データに基づいてその単位画像の縫い目データが生成される（ステップＳ７）。そして、全ての単位画像について縫い目データの生成が終了したら（ステップＳ８）、該縫い目データを記憶媒体１１に記憶させて動作を終了する。
【００１５】
以上の構成により図４や図５に示すような原画像Ｇのイメージを損なわない刺繍縫いデータを作成することが可能になる。また、基準線分長さ設定装置６の設定によりユーザが任意に線画とべた塗りの刺繍縫いを選択することが可能になる。
【００１６】
【発明の効果】
以上説明したように本発明の刺繍データ作成装置によれば、原画のイメージを損なうことなく、線画を刺繍することが可能な刺繍データを作成できる効果がある。
【図面の簡単な説明】
【図１】本発明の一実施形態を示すブロック図。
【図２】本発明の一実施形態の動作を示すフローチャート図。
【図３】本発明の一実施形態の動作説明図。
【図４】本発明の一実施形態における刺繍縫い画像Ｎの一例を示す説明図。
【図５】本発明の一実施形態における刺繍縫い画像Ｎの他の例を示す説明図。
【図６】従来技術の説明図。
【符号の説明】
１：中央演算処理装置、２：データ記憶装置、３：画像データ骨格化プログラム記憶装置、４：線分長さ比較プログラム記憶装置、５：縫い目データ生成プログラム記憶装置、６：基準線分長さ設定装置、７：表示装置、１０：イメージスキャナ、１１：記憶媒体、５１：輪郭線、５２：目、５３：鼻、５４：ヒゲ。
【図１】
0003589798.tif 000002
【図２】
0003589798.tif 000003
【図３】
0003589798.tif 000004
【図４】
0003589798.tif 000005
【図５】
0003589798.tif 000006
【図６】
0003589798.tif 000007